(57)【要約】【課題】フルショットしても飛ばないアイアンクラブのヘッドを提供する。【解決手段】打撃面を形成する大きさの開口部（２）の輪郭を形成する枠体部（３）と、この枠体部（３）のトップエッジ（３Ａ）から背後を覆うように延びたバックフェース（４）と、このバックフェース（４）から枠体部（３）のリーディングエッジ（３Ｂ）まで延びたソール（５）とから内部に中空部（６）を有するヘッド本体（１）を構成し、この中空部（６）にＪＩＳ  Ｋ６２５３硬度４５〜８５の高分子材料から形成された制振材（８）をインサートしてその表面を打撃面（８Ａ）に構成し、この制振材（８）でボールを打撃する場合に制振材（８）がフルショットの衝撃を吸収するようにとした。【選択図】図３
2009011423.tif 000002
【特許請求の範囲】
【請求項１】
打撃面を形成する大きさの開口部の輪郭を形成する枠体部と、この枠体部のトップエッジから背後を覆うように延びたバックフェースと、このバックフェースから枠体部のリーディングエッジまで延びたソールとから内部に中空部を有するヘッド本体を構成し、
この中空部にＪＩＳ  Ｋ６２５３硬度４５〜８５の高分子材料から形成された制振材をインサートしてその表面を打撃面に構成し、
この制振材でボールを打撃する場合に制振材がフルショットの衝撃を吸収するようにしたことを特徴とするゴルフクラブヘッド。
【請求項２】
前記制振材がインサートされた中空部内に中空部分が残存することを特徴とする請求項１に記載のゴルフクラブヘッド。
【請求項３】
ヘッド本体の全体積に占める制振材の体積比が３９〜５７％であることを特徴とする請求項１又は２に記載のゴルフクラブヘッド。
【請求項４】
前記制振材は、天然ゴム、ブタジエン、ポリブタジエン及びシリコーンなどの合成ゴム、ポリウレタンなどの熱硬化性材料から形成されていることを特徴とする請求項１ないし３のいずれか１項に記載のゴルフクラブヘッド。
【発明の詳細な説明】
【技術分野】
【０００１】
本発明は、ゴルフクラブヘッドに関し、特にアプローチ用のアイアンクラブのヘッドに関する。
【背景技術】
【０００２】
従来のゴルフクラブヘッドで、打撃面にゴム若しくはゴム状弾性を設けたものとしては、クラブヘッドのフェース面部に弾性体層を設け、これらの各弾性体層の厚み方向の変形を許容しかつそれに垂直な方向の変形を拘束する拘束部材層を交互に積層して一体化した積層体を形成したものが知られている（特許文献１参照）。これら、ウッドクラブ、アイアンクラブのいずれのヘッドにも適用できるものである。
【０００３】
また、パターのヘッドにおいて、打撃面に熱硬化性ポリウレタン材料をインサートしたものも知られている（特許文献２参照）。インサートは４２〜５５の範囲のショアＤ硬度と、５１〜６０の範囲のベイショアリバウンドを有し、ウッドクラブやアイアンクラブにも適用できるとされている。
【特許文献１】特開平５−１５４２２４号公報
【特許文献２】特開２００１−１２９１３６号公報
【発明の開示】
【発明が解決しようとする課題】
【０００４】
特許文献１に開示されたものは、弾性体層と拘束部材層とを交互に積層したものであるため、打撃時の弾性体層の変形を拘束部材層が拘束し、十分なゴム量ですべての変形を吸収するものではない。特許文献１のものは、ボール初速を高めて飛距離を増大させるものである。
【０００５】
また、特許文献２に記載（図１１）のアイアンクラブのインサートの厚さないし使用量については開示されていないが、パターヘッドのインサートと同等の厚さのインサートであれば、アイアンクラブのフルショットの衝撃を受け止め、低反発クラブとしての効果を発揮するには、十分な容量を必要とする。少ない量のインサートでは、変形がヘッド本体に直接影響し、打撃によるヘッド本体への影響は、インサートの量が増えると共に少なくなる。この従来例では、アイアンクラブでのショットの衝撃を吸収し、飛ばないクラブとすることはむずかしかった。
【０００６】
１００ｍや７０ｍ以内の広い範囲をコントロールショットで対応しなければならないことは、ゴルファーにとって大きなストレスとなる。本発明は、この広い範囲をスイングの安定性を欠いたり、ボールの弾道が不安定になることなく、また、高度な技術と深い経験が要求されるコントロールショットを必要としないフルスイングで攻め、コントロールを必要とする範囲を従来より大幅に縮小することを課題としている。主目的は飛ばないクラブである。特に、シニアや女性など、非力なゴルファーの場合には、１４本の携帯が許されているゴルフのルールではあるが、実際に使用するクラブの数は、１０本程度であり、大体２〜３本は、未使用のままのクラブである。本発明は、この２〜３本のクラブに替わるクラブとして、ＰＷのフルショット以内の距離が要求される３０ヤードや５０ヤードをフルスイングで分担するアイアンクラブ提供を目的とし、制振や振動吸収材料を利用した低反発クラブの開発である。
【課題を解決するための手段】
【０００７】
上述の目的を達成するため、本発明は、打撃面を形成する大きさの開口部の輪郭を形成する枠体部と、この枠体部のトップエッジから背後を覆うように延びたバックフェースと、このバックフェースから枠体部のリーディングエッジまで延びたソールとから内部に中空部を有するヘッド本体を構成し、この中空部にＪＩＳ  Ｋ６２５３硬度４５〜８５の高分子材料から形成された制振材をインサートしてその表面を打撃面に構成し、この制振材でボールを打撃する場合に制振材がフルショットの衝撃を吸収するようにしたものである。
【発明の効果】
【０００８】
本発明によれば、打撃面を形成する大きさの開口部の輪郭を形成する枠体部と、この枠体部のトップエッジから背後を覆うように延びたバックフェースと、このバックフェースから枠体部のリーディングエッジまで延びたソールとから内部に中空部を有するヘッド本体を構成し、この中空部にＪＩＳ  Ｋ６２５３硬度４５〜８５の高分子材料から形成された制振材をインサートしてその表面を打撃面に構成し、この制振材でボールを打撃する場合に制振材がフルショットの衝撃を吸収するようにしたので、打点を中心とする制振材の量に比例して十分な衝撃吸収を行え、低反発クラブとしての効果を発揮することができる。制振材の厚みと量を調整することにより、例えば、フルショットで３０ヤード、４０ヤード、５０ヤードしか飛ばないアイアンクラブを設計することができ、アベレージゴルファーが５０ヤード以下の距離をコントロールショットと対応しなくてもすむようになり、ゴルフをより一層楽しむことができる。
【発明を実施するための最良の形態】
【０００９】
以下に本発明の実施形態を、図面を参照にして説明する。
【００１０】
図１は、アイアンクラブのヘッド完成前の正面図を示し、ヘッド本体１が、打撃面を形成する大きさの開口部２の輪郭を形成する枠体部３と、この枠体部３トップエッジ３Ａから背後を覆うように延びたバックフェース４（図２参照）と、このバックフェース４から枠体部のリーディングエッジ３Ｂまで延びたソール５とから構成してあり、内部に中空部６を有している。なお、枠体部３の一方の側面はトウ３Ｃを形成し、他方の側面にはシャフト装着用のホーゼル７を一体成形してある。ヘッド本体１では、ステンレス、軟鉄、チタン合金などの金属材料、あるいはＦＲＰなどの合成樹脂材料で形成してある。
【００１１】
前記ヘッド本体１の中空部６には、図３に示すように、ＪＩＳ  Ｋ６２５３による硬度４５〜８５の高分子材料から形成された制振材８をインサートしてある。この制振材８の表面が打撃面８Ａを構成する。この制振材８としては、天然ゴム、ブタジエン、ポリブタジエンおよびシリコーンなどの合成ゴム、ポリウレタンなどの熱可塑性材料または熱硬化性材料が使用できる。ＪＩＳ  Ｋ６２５３による硬度４５〜８５とは、消しゴム〜ゴムタイヤ〜パソコンで使用されるマウスのボールの硬さ範囲である。
【００１２】
図４は、フェアウェイ上にあるボールＢを打撃する場合の幾何学的接触点Ａを示し、この接触点Ａまでの制振材８の厚さｔ（打撃面８Ａに対して垂直な方向で計測）を少なくとも５ｍｍ以上とした。制振材８の種類によっては１０ｍｍ以上の厚さｔとすることもある。この図４の実施形態では、ヘッド本体１の体積全体に占める制振材８の体積の比率を大幅に減少させながら、打撃面８Ａの低反発の効果を低下させることがない。
【００１３】
図５に示す実施形態は、制振材８を形成する制振材料の局部変形を促すことによってより大きな打撃パワーを吸収するために、このヘッド本体１の中空部６にＪＩＳ  Ｋ６２５３硬度４５以上８５以下の高分子材料からなる制振材料の打撃面８Ａを除く表面に凹凸８Ｂを施した部材を挿入する。中空部６を含むヘッド体積に対する中空部６の容積の比は、さらに減少するが、大体１５％程度の制振材８の体積減少に留める。制振材８の凹凸８Ｂにより、制振材８を中空部６内にインサートしたとき、中空部６内に中空部分が残存することになる。
【００１４】
上述した図１ないし図３に示す実施形態のもので、例えば３番アイアン相当のロフト角２２°±２°のヘッドを形成する場合、ヘッド本体１の重量（ホーゼル７を含む）を１９７.２ｇ（ステンレス製）、ヘッド全体の体積を４７.０５ｃｍ３、中空部６の容積を２１．７７ｃｍ３とし、ＪＩＳ  Ｋ６２５３硬度４５〜８５の制振材８を中空部６内に充填したものを実施例１とし、４番アイアンから９番アイアン、ＰＷまでの各クラブ相当のロフト角を有するヘッドを実施例２〜８とした。これらの実施例１〜８における制振材８の体積（ｃｍ３）と、ヘッド本体１の体積（ｃｍ３）と、ヘッド本体１の体積（ｃｍ３）と全体積に占める制振材８の体積比を次の表１に示す。なお、実施例２のロフト角は２６°±２°、実施例３以下のロフト角は４°ずつ増えるようにした。
【００１５】
【表１】
2009011423.tif 000003
【００１６】
次いで、図５に示す形状の制振材８を実施例１〜８と同様のヘッド本体１の中空部６にインサートした、３番アイアンから９番アイアン及びＰＷに相当するロフト角のヘッドを有する実施例９〜１６を表２に示す。
【００１７】
【表２】
2009011423.tif 000004
【００１８】
表１及び表２に示す実施例では、ゴルファーが不得手とする距離をフルショットで実現できるクラブを選択し、アイアンクラブセットに加える。
【図面の簡単な説明】
【００１９】
【図１】完成前のヘッド正面図。
【図２】図１のＡ−Ａ線切断面図。
【図３】制振材をインサートした図２と同様の図。
【図４】他の実施形態を示す簡略断面図。
【図５】制振材インサート後も中空部に中空部分が残るようにした別の実施形態を示す断面図。
【符号の説明】
【００２０】
１    ヘッド本体
２    開口部
３    枠体部
３Ａ  トップエッジ
３Ｂ  リーディングエッジ
４    バックフェース
５    ソール
６    中空部
８    制振材
Ａ    幾何学的接触点
ｔ    接触点における制振材の厚さ
【図１】
2009011423.tif 000005
【図２】
2009011423.tif 000006
【図３】
2009011423.tif 000007
【図４】
2009011423.tif 000008
【図５】
2009011423.tif 000009